(57)【要約】【課題】  開閉操作が容易に行えると共に２方向に開閉させることができる携帯機器のヒンジ装置を提供する。【解決手段】  第１筐体１１又は第２筐体１２に取り付けられる第１シャフト２及び第２筐体１２又は第１筐体１１に取り付けられる第２シャフト３を回動可能に支持する基部４と、第１シャフト２の回動及び第２シャフト３の回動を制御するカム機構と、第１筐体１１及び第２筐体１２が、閉成状態のとき、２方向のいずれか一方の方向に開閉可能であり、第１筐体１１と第２筐体１２とが２方向のいずれか一方の方向に開閉して開成状態以外の状態のとき、２方向のいずれか他方の方向への開閉をロックするロック機構５とを備えたことにより、前記課題を解決した。【選択図】        図２
2006233998.tif 000002
【特許請求の範囲】
【請求項１】
携帯機器を構成する第１筐体と第２筐体を、互いに重ね合わせた閉成状態から、上下方向の１方向と左右方向の１方向の２方向へ相対的に開閉させるヒンジ装置であって、
前記第１筐体及び前記第２筐体のいずれか一方の筐体に取り付けられる第１シャフトと、
前記第１筐体及び前記第２筐体のいずれか他方の筐体に取り付けられる第２シャフトと、
前記第１シャフト及び前記第２シャフトをそれぞれの軸を中心として回動可能に支持する基部と、
該基部に対する前記第１シャフトの回動を制御する第１カム機構と、
前記基部に対する前記第２シャフトの回動を制御する第２カム機構と、
前記第１筐体及び前記第２筐体が、閉成状態のとき、互いに前記２方向のいずれか一方の方向に開閉可能であり、前記第１筐体と前記第２筐体とが前記２方向のいずれか一方の方向に開閉して閉成状態以外の状態のとき、前記２方向のいずれか他方の方向への開閉をロックするロック機構とを備えたことを特徴とする、携帯機器のヒンジ装置。
【請求項２】
前記ロック機構が、前記第１シャフトに設けられ、該第１シャフトと共に回動する第１カムと、前記第２シャフトに設けられ、該第２シャフトと共に回動する第２カムと、前記第１シャフト及び前記第２シャフトのいずれか一方のシャフトが回動して前記閉成状態以外の状態になると前記第１シャフト及び前記第２シャフトのいずれか他方のシャフトのカムに係合してこの他方のシャフトの回動をロックし、前記一方のシャフトが回動して前記閉成状態になると前記他方のシャフトのカムへの係合が解除されるか又は解除し得る状態になるロック部材と、を備えたことを特徴とする、請求項１に記載の携帯機器のヒンジ装置。
【請求項３】
前記第１カムが、周面の一部に第１カム凹部を有する円形状に形成され、
前記第２カムが、周面の一部に第２カム凹部を有する円形状に形成され、
前記ロック部材が、一端部が前記第１カム凹部に挿入されて係合したとき他端部が前記第２カム凹部に近接すると共に、他端部が前記第２カム凹部に挿入されて係合したとき一端部が前記第２カム凹部に近接する移動可能なロックシャフトを有し、
前記閉成状態のとき、前記ロックシャフトの一端部が前記第１カム凹部に係合されているか又は他端部が前記第２カム凹部に係合され、該ロックシャフトの端部が係合されている前記第１カム凹部又は前記第２カム凹部が回動すると、この前記第１カム凹部又は前記第２カム凹部から前記ロックシャフトの端部が離脱すると共に、該ロックシャフトの残りの端部が前記第２カム凹部又は前記第１カム凹部に係合されるように前記ロックシャフトが移動することを特徴とする、請求項２に記載の携帯機器のヒンジ装置。
【請求項４】
前記ロックシャフトが、前記第１カム凹部及び前記第２カム凹部のいずれか一方に係合するように付勢されていることを特徴とする、請求項３に記載の携帯機器のヒンジ装置。
【請求項５】
前記ロック機構が、前記第１シャフトに設けられ、カム部を有する第１カムと、前記第２シャフトに設けられ、カム部を有する第２カムと、を備え、
前記第１シャフト及び前記第２シャフトのいずれか一方のシャフトが回動して閉成状態以外の状態になると、前記第１シャフト及び前記第２シャフトのいずれか他方のシャフトに設けられたカムのカム部が前記一方のシャフトに設けられたカムのカム部以外に係合して前記他方のシャフトの回動をロックすると共に前記一方のシャフトの回動を許容し、該一方のシャフトが回動して閉成状態になると、前記他方のシャフトのカムのカム部の前記一方のシャフトに設けられたカムのカム部以外への係合が解除されるように構成したことを特徴とする、請求項１又は２に記載の携帯機器のヒンジ装置。
【請求項６】
前記第１カム機構が、前記第１シャフトに固定された第１カムＡ体と、前記基部と係合すると共に前記第１シャフトの軸方向に移動可能で前記第１カムＡ体と面接触する第１カムＢ体と、前記第１カムＡ体の接触面と前記第１カムＢ体の接触面の少なくとも一方に設けられる第１カム係合凸部と、前記第１カムＡ体の接触面と前記第２カムＢ体の接触面の少なくとも他方に設けられ、前記第１カム凸部と係合して前記第１筐体に対する前記第２筐体の位置を所定の位置にロック状態に保持する第１カム係合凹部とで構成され、
前記第２カム機構が、前記第２シャフトに固定された第２カムＡ体と、前記基部と係合すると共に前記第２シャフトの軸方向に移動可能で前記第２カムＡ体と面接触する第２カムＢ体と、前記第２カムＡ体の接触面と前記第２カムＢ体の接触面の少なくとも一方に設けられる第２カム係合凸部と、前記第２カムＡ体の接触面と前記第２カムＢ体の接触面の少なくとも他方に設けられ、前記第２カム凸部と係合して前記第２筐体に対する前記第２筐体の位置を所定の位置にロック状態に保持する第２カム係合凹部とで構成されていることを特徴とする、請求項１〜５のいずれか１項に記載の携帯機器のヒンジ装置。
【請求項７】
前記請求項１〜６のいずれか１項に記載の携帯機器のヒンジ装置を備えたことを特徴とする、携帯電話機。
【発明の詳細な説明】
【技術分野】
【０００１】
本発明は、２つ折りタイプの携帯電話機等の携帯機器のように、キーボード部やマイク部等を設けた第１筐体と表示部やスピーカー部等を設けた第２筐体とを互いに開閉可能に構成したものに用いて好適な携帯機器のヒンジ装置及びこのヒンジ装置を備えた携帯電話機に関するものである。
【背景技術】
【０００２】
携帯機器の一種である携帯電話機において、キーボード部やマイク部等を上面に設けた送話部としての第１筐体と、ディスプレイ部やスピーカー部等を設けた受話部としての第２筐体とを有し、これらの第１筐体と第２筐体を互いにヒンジ装置によって回動可能に連結した２つ折りの携帯電話機が市場に出回っている。この２つ折りの携帯電話機は、第１筐体の上面後部に対して第２筐体がヒンジ装置を介して回動可能に連結されており、第１筐体の上面の送話部に第２筐体を重ね合わせて密着させ送話部を閉塞させることができると共に、重ね合わせた状態（閉成状態）を解いてその送話部を露出させることができる。すなわち、通常は、第１筐体と第２筐体とが重ね合わされた閉成状態で送話部が閉塞されているために、送話部を露出させるには、例えば、一方の手で第１筐体を掴み、他方の手で第２筐体を掴んで送話部が露出するように（送話部から第２筐体の下面が離間するように）その第２筐体を第１筐体に対して回動させることにより、送話部を露出させた開成状態にして携帯電話機を使用することが可能となる。
【０００３】
近年、携帯電話機としては、通話機能の他にインターネット等の通信回線を利用した機能やゲーム機能等の多種多様な機能を備えたものが市場に出回っている。このような携帯電話機は、表示部を縦長にのみ利用することしかできないと、機能を十分に発揮することができない。すなわち、ヒンジ装置は、幅方向を軸として長手方向に互いに回動可能に第１筐体と第２筐体を連結するものであり、１方向しか開閉させることができず、表示部を縦長にのみ利用することしかできなかった。このため、第１筐体と第２筐体とを長手方向に開閉させる以外に幅方向に開閉させることができるようにしたヒンジ装置及びこのヒンジ装置を用いた携帯電話機が提案されている（例えば、特許文献１参照。）。
【特許文献１】特開２００３−１１０６７３号公報
【発明の開示】
【発明が解決しようとする課題】
【０００４】
この特許文献１には、第１筐体と第２筐体とを２方向に開閉させるヒンジ装置が記載されている。このヒンジ装置は、幅方向に延びる第１軸を軸として長手方向に開閉させることができると共に、長手方向に延びる第２軸を軸として幅方向に開閉させることができるように第１筐体と第２筐体とを連結するものであり、その結果、表示部を縦長及び横長の２通りで利用することができる。しかし、第１筐体と第２筐体とを互いに１方向例えば長手方向に開閉させるときや第１筐体と第２筐体とが長手方向に回動させて開いた開成状態となっているとき、さらに第１筐体と第２筐体とが互いに別の１方向例えば幅方向にも回動可能である。このため、第１筐体と第２筐体とを所望の方向に開閉させるときに別の方向にも開閉するので、所望の方向にのみ開閉させ難く、開閉操作がし難いことがあった。
【０００５】
本発明は、前記課題を解決するためになされたものであって、その目的は、開閉操作が容易に行えると共に２方向に開閉させることができる携帯機器のヒンジ装置及びそのヒンジ装置を備えた携帯電話機を提供することにある。
【課題を解決するための手段】
【０００６】
前記の目的を達成するための本発明に係る携帯機器のヒンジ装置は、携帯機器を構成する第１筐体と第２筐体を、互いに重ね合わせた閉成状態から、上下方向の１方向と左右方向の１方向の２方向へ相対的に開閉させるヒンジ装置であって、前記第１筐体及び前記第２筐体のいずれか一方の筐体に取り付けられる第１シャフトと、前記第１筐体及び前記第２筐体のいずれか他方の筐体に取り付けられる第２シャフトと、前記第１シャフト及び前記第２シャフトをそれぞれの軸を中心として回動可能に支持する基部と、該基部に対する前記第１シャフトの回動を制御する第１カム機構と、前記基部に対する前記第２シャフトの回動を制御する第２カム機構と、前記第１筐体及び前記第２筐体が、閉成状態のとき、互いに前記２方向のいずれか一方の方向に開閉可能であり、前記第１筐体と前記第２筐体とが前記２方向のいずれか一方の方向に開閉して閉成状態以外の状態のとき、前記２方向のいずれか他方の方向への開閉をロックするロック機構とを備えたことを特徴とする。
【０００７】
この発明によれば、第１筐体及び第２筐体は、閉成状態のとき、２方向のいずれか一方の方向に開閉可能であり、どちらか一方の方向に互いに開閉させると、他方の方向への開閉がロックされる。このため、第１筐体及び第２筐体を一方の方向に開閉させるときには、他の方向に開閉しないので、一方の方向への開閉をスムーズに行える。その結果、開閉操作を容易に行えることになる。
【０００８】
本発明に係る携帯機器のヒンジ装置において、前記ロック機構が、前記第１シャフトに設けられ、該第１シャフトと共に回動する第１カムと、前記第２シャフトに設けられ、該第２シャフトと共に回動する第２カムと、前記第１シャフト及び前記第２シャフトのいずれか一方のシャフトが回動して前記閉成状態以外の状態になると前記第１シャフト及び前記第２シャフトのいずれか他方のシャフトのカムに係合してこの他方のシャフトの回動をロックし、前記一方のシャフトが回動して前記閉成状態になると前記他方のシャフトのカムへの係合が解除されるか又は解除し得る状態になるロック部材と、を備えることが好ましい。
【０００９】
また、本発明に係る携帯機器のヒンジ装置において、前記第１カムが、周面の一部に第１カム凹部を有する円形状に形成され、前記第２カムが、周面の一部に第２カム凹部を有する円形状に形成され、前記ロック部材が、一端部が前記第１カム凹部に挿入されて係合したとき他端部が前記第２カム凹部に近接すると共に、他端部が前記第２カム凹部に挿入されて係合したとき一端部が前記第２カム凹部に近接する移動可能なロックシャフトを有し、前記閉成状態のとき、前記ロックシャフトの一端部が前記第１カム凹部に係合されているか又は他端部が前記第２カム凹部に係合され、該ロックシャフトの端部が係合されている前記第１カム凹部又は前記第２カム凹部が回動すると、この前記第１カム凹部又は前記第２カム凹部から前記ロックシャフトの端部が離脱すると共に、該ロックシャフトの残りの端部が前記第２カム凹部又は前記第１カム凹部に係合されるように前記ロックシャフトが移動することが好ましい。また、本発明に係る携帯機器のヒンジ装置において、前記ロックシャフトが、前記第１カム凹部及び前記第２カム凹部のいずれか一方に係合するように付勢されていることが好ましい。
【００１０】
また、本発明に係る携帯機器のヒンジ装置において、前記ロック機構が、前記第１シャフトに設けられ、カム部を有する第１カムと、前記第２シャフトに設けられ、カム部を有する第２カムと、を備え、前記第１シャフト及び前記第２シャフトのいずれか一方のシャフトが回動して閉成状態以外の状態になると、前記第１シャフト及び前記第２シャフトのいずれか他方のシャフトに設けられたカムのカム部が前記一方のシャフトに設けられたカムのカム部以外に係合して前記他方のシャフトの回動をロックすると共に前記一方のシャフトの回動を許容し、該一方のシャフトが回動して閉成状態になると、前記他方のシャフトのカムのカム部の前記一方のシャフトに設けられたカムのカム部以外への係合が解除されるように構成することが好ましい。
【００１１】
また、本発明に係る携帯機器のヒンジ装置において、前記第１カム機構が、前記第１シャフトに固定された第１カムＡ体と、前記基部と係合すると共に前記第１シャフトの軸方向に移動可能で前記第１カムＡ体と面接触する第１カムＢ体と、前記第１カムＡ体の接触面と前記第１カムＢ体の接触面の少なくとも一方に設けられる第１カム係合凸部と、前記第１カムＡ体の接触面と前記第２カムＢ体の接触面の少なくとも他方に設けられ、前記第１カム凸部と係合して前記第１筐体に対する前記第２筐体の位置を所定の位置にロック状態に保持する第１カム係合凹部とで構成され、前記第２カム機構が、前記第２シャフトに固定された第２カムＡ体と、前記基部と係合すると共に前記第２シャフトの軸方向に移動可能で前記第２カムＡ体と面接触する第２カムＢ体と、前記第２カムＡ体の接触面と前記第２カムＢ体の接触面の少なくとも一方に設けられる第２カム係合凸部と、前記第２カムＡ体の接触面と前記第２カムＢ体の接触面の少なくとも他方に設けられ、前記第２カム凸部と係合して前記第２筐体に対する前記第２筐体の位置を所定の位置にロック状態に保持する第２カム係合凹部とで構成されていることが好ましい。
【００１２】
また、本発明に係る携帯電話機は、前記の本発明に係る携帯機器のヒンジ装置を備えたことを特徴とする。この発明によれば、前述と同様に、閉成状態の第１筐体及び第２筐体を、２方向のどちらか一方の方向に互いに開閉させると、他方の方向への開閉がロックされて他の方向に開閉することがないので、開閉操作を容易に行えることになる。
【発明の効果】
【００１３】
以上説明したように本発明に係る携帯機器のヒンジ装置及び携帯電話機によれば、閉成状態の第１筐体及び第２筐体を、２方向のいずれか一方の方向に互いに開閉させると、他方の方向への開閉がロックされて他の方向に開閉することがないので、開閉操作を容易に行える。
【発明を実施するための最良の形態】
【００１４】
以下、本発明に係る携帯機器のヒンジ装置及び携帯電話機を添付図面に基づいて詳述する。
【００１５】
図１〜図３は本発明に係る携帯機器のヒンジ装置を備えた携帯電話機の一例を示す図である。図４及び図５は本発明に係るロック機構の一例を示す図である。図６及び図７は本発明に係る携帯機器のヒンジ装置の一例を示す図である。本発明に係る携帯機器のヒンジ装置は、図１〜図７に示すように、携帯機器を構成する第１筐体１１と第２筐体１２を２方向に開閉可能に連結して、第１筐体１１と第２筐体１２のいずれか一方の筐体の上面を第１筐体１１と第２筐体１２のいずれか他方の筐体で覆う閉成状態（図１参照。）と、一方の筐体の上面を露出させる開成状態（図２及び図３参照。）とを形成するものである。
【００１６】
携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いに回動させるものであれば特に限定されない。また、本実施の形態では、携帯機器として携帯電話機１０について説明するが、これに限定されるものではない。
【００１７】
第１筐体１１は、携帯電話機１０の送話部を構成するものであり、キーボード部やマイク部等を上面に有している。第１筐体１１は、細長の略矩形状に形成されている。第２筐体１２は、同じく携帯電話機１０の受話部を構成するものであり、ＬＣＤなどのディスプレイ部、スピーカー部、カメラ部等を有している。第２筐体１２は、第１筐体１１と略同じ細長の略矩形状に形成されている。これらの第１筐体１１と第２筐体１２とが互いに重ね合わされた閉成状態から例えば第１筐体１１に対して第２筐体１２をその長手方向（上下方向の１方向ということがる。）及びその幅方向（左右方向の１方向ということがある。）の２方向に相対的に開閉可能に第１筐体１１と第２筐体１２とがヒンジ装置１を介して連結されて携帯電話機１０が構成されている。すなわち、この携帯電話機１０は、第１筐体１１の上面に第２筐体１２の下面が互いに重ね合わされて送話部を閉塞すると共に、第１筐体１１の上面から第２筐体１２の下面が離間して送話部を露出させることができるようになっている。
【００１８】
本発明に係る携帯機器のヒンジ装置１は、第１筐体１１及び第２筐体１２のいずれか一方の筐体に取り付けられ、その幅方向に延びる第１シャフト２と、第１筐体１１及び第２筐体１２のいずれか他方の筐体に取り付けられ、その長手方向に延びる第２シャフト３と、第１シャフト２及び第２シャフト３をそれぞれの軸を中心として回動可能に支持する基部４と、基部４に対する第１シャフト２の回動を制御する第１カム機構６と、基部４に対する第２シャフト３の回動を制御する第２カム機構７と、第１筐体１１及び第２筐体１２が、閉成状態のとき、２方向のいずれか一方の方向に開閉回動可能であり、第１筐体１１と第２筐体１２とが２方向のいずれか一方の方向に開閉して閉成状態以外の状態のとき、２方向のいずれか他方の方向への開閉をロックするロック機構５とを備えたことに特徴がある。
【００１９】
基部４は、図１〜図７及び図１０に示すように、第１シャフト２を回動可能に支持する第１シャフト部４１と、第２シャフト３を回動可能に支持する第２シャフト部４２と、第１シャフト部４１と第２シャフト部４２とを連結する連結部４３とからなる。連結部４３は、筒体状、例えば、略矩形図示例では略正方形筒体状に形成されている。連結部４３の長さ（長手方向の長さ）は、第１筐体１１と第２筐体１２とを重ね合せたときのこれら筐体の厚さと同じかその厚さより若干長いか短い寸法で形成されていることが好ましい。連結部４３は、第１筐体１１と第２筐体１２とを重ね合せたときの４つの角部のうちの任意の１つの角部に筐体の厚さ方向に延びるように配置されている。連結部４３内の中央部より若干第１筐体１１側には、連結部４３内を仕切る仕切壁４４が設けられている。この仕切壁４４の中央部には、仕切壁４４を貫通する円筒状の貫通部４５が設けられている。
【００２０】
連結部４３の第１筐体１１側の端部近傍であって長さが短い側端部（側短端部ということがある。）側の表面には、その幅方向であってその側短端部方向に延びる例えば、略円筒状の第１シャフト部４１が例えば一体的に設けられている。第１シャフト部４１は、第１シャフト２を回動可能に支持するものであり、この第１シャフト２を軸に第１筐体１１と第２筐体１２とが互いに回動可能に支持される。第１シャフト部４１内の連結部４３の表面には、第１シャフト部４１より径が小さな第１挿通孔４３ａが設けられている。第１シャフト部４１の略中央部より先端部までの内周であって互いに対向する２箇所には、第１嵌合凹部４６がそれぞれ設けられて周り止め手段として形成されている。
【００２１】
また、連結部４３の第２筐体１２側の端部近傍であって長さが長い側端部（側長端部ということがある。）側の表面には、その側長端部方向に延びる第２シャフト部４２が例えば一体的に設けられている。第２シャフト部４２は、第２シャフト３を回動可能に支持するものであり、この第２シャフト３を軸に第１筐体１１と第２筐体１２とが互いに回動可能に支持される。第２シャフト部４２内の連結部４３の表面には、第２シャフト部４２より径が小さな第２挿通孔４３ｂが設けられている。第２シャフト部４２の内周であって互いに対向する２箇所には、第２嵌合凹部４７がそれぞれ設けられて周り止め手段として形成されている。
【００２２】
第１シャフト２は、図５、図７及び図１１に示すように、第１シャフト部４１の第１挿通孔４３ａに挿通されて第１シャフト部４１に回動可能に支持されるものである。第１シャフト２は、一端部に第１カム部２１が設けられている。第１カム部２１は、第１シャフト部４１の第１挿通孔４３ａの径より大きな寸法の径の円柱状に形成されている。第１カム部２１の周面には、その軸方向に延びる略Ｕ字状の第１カム凹部２２が設けられている。第１シャフト２は、第１挿通孔４３ａの径より小さな径、例えば若干小さな径に形成されている。第１シャフト２の長さは、第１カム部２１が連結部４３内に位置されると共に、他端部である先端部が第１シャフト部４１から突出する寸法で形成されている。
【００２３】
また、第１シャフト部４１から突出する第１シャフト２の周面には、その周面の一部を軸方向でかつ平行に平面状に切り欠いた嵌合部２３が設けられている。また、第１シャフト部４１から突出する第１シャフト２には、３つの第１取付孔２４、第２取付孔２５及び第３取付孔２６が設けられている。先端部から２つの第１取付孔２４及び第２取付孔２５は、第１シャフト２を第１筐体１１にネジやボルト等の取付部材により着脱可能に固着するためのものである。残りの第３取付孔２６は、第１カム機構６の第１カムＡ体６１を第１シャフト２に固定するためのものである。
【００２４】
第１カム機構６は、所定の位置に第１シャフト２をロック状態に保持するものであり、例えば、第１シャフト２が第１シャフト部４１に対して、すなわち、第２筐体１２が第１筐体１１に対して第１シャフト２を軸に０°〜１８０°の角度の範囲で回動し得る場合、例えば、０°及び１７２°の２つの角度で第１シャフト２をロック状態に保持するように構成されていることが好ましい。この場合の角度は、第１シャフト２を軸にした第１筐体１１の長手方向に延びる直線と第２筐体１２の長手方向に延びる直線との角度（第１回動角度ということがある。）であり、この角度が０°のときに、第１筐体１１と第２筐体１２が互いに重なり合った閉成状態となるように第２筐体１２が第１筐体１１に第１シャフト２を介して連結されていることが好ましい。なお、本発明において０°というときには、０°前後を含む。また、本発明において１７２°というときには、１７２°前後を含む。
【００２５】
第１カム機構６は、例えば、第１シャフト２の先端部近傍の外周に固定されている第１カムＡ体６１と、第１シャフト２に取り付けられ、第１カムＡ体６１と面接触する第１カムＢ体６２と、第１カムＡ体６１及び第１カムＢ体６２の接触面の少なくとも１面例えば第１カムＡ体６１の接触面に設けられた第１カム係合凸部６３と、この第１カム係合凸部６３が設けられた面と対向する第１カムＡ体６１及び第１カムＢ体６２の接触面例えば第１カムＢ体６２の接触面に設けられ、第１カム係合凸部６３と係合する第１カム係合凹部６４と、付勢手段である圧縮コイルスプリング６５とから構成されている。
【００２６】
第１カムＡ体６１は、図７及び図１３に示すように、例えば、略円筒状に形成されている。第１カムＡ体６１は、第１シャフト部４１の内径より径が大きな寸法の外径で形成されている。第１カムＡ体６１の内部（内孔ということがある。）は、第１シャフト２の嵌合部２３にその軸回りに回転することなく嵌合され得る形状で形成されている。また、第１カムＡ体６１には、その径方向に延びて貫通する挿入孔６１ａが設けられている。第１カムＡ体６１は、第１シャフト部４１から突出する第１シャフト２の嵌合部２３を内孔に嵌合して挿入孔６１ａと第３取付孔２６とを孔合わせしてからこれら孔６１ａ、２６にピン、ネジ、ボルト等の取付部材、例えばピン６６を挿通してピン６６の両端部をカシメることにより、第１カムＡ体６１が第１シャフト２の先端部近傍に回転することなく固定されている。
【００２７】
第１カムＡ体６１の第１シャフト部４１側の面（接触面ということがある。）には、第１カム係合凸部６３が２つ設けられている。これらの第１カム係合凸部６３は、１８０°間隔で第１カムＡ体６１の接触面に設けられている。すなわち、２つの第１カム係合凸部６３は対称に接触面に設けられている。これらの第１カム係合凸部６３の形状は、特に限定されないが、先端部がＲ形状の略三角形状に接触面から突出して形成されている。
【００２８】
第１カムＢ体６２は、図７及び図１４に示すように、第１シャフト部４１内に位置されるカム体であり、略リング状に形成されている。第１カムＢ体６２の外形は、例えば、第１シャフト部４１の内形より若干小さな略同じ形状、すなわち、円形の２箇所を第１嵌合凹部４６に嵌合するように突出させた第１嵌合凸部６２ａを有する形状で形成されている。第１カムＢ体６２の内形（内孔ということがある。）は、第１シャフト２の外径より若干小さな寸法の径の円形状で形成されている。第１カムＢ体６２は、その内孔に第１シャフト２が挿通されて第１シャフト２に取り付けられると共に、組立時、第１シャフト部４１内に第１嵌合凹部４６と第１嵌合凸部６２ａが係合した状態で収容されており、第１シャフト２の軸方向には移動可能であるが、その軸周りには回転できないようになっている。
【００２９】
第１カムＢ体６２の第１カムＡ体６１側の面（接触面ということがある。）には、第１カム係合凸部６３とそれぞれ係合する第１カム係合凹部６４がその周方向に１８０°間隔で２つ設けられている。２つの第１カム係合凹部６４は対称に接触面に設けられており、例えば、第１回動角度が−８°及び１７２°で２つの第１カム係合凸部６３と係合するように配置されていることが好ましい。このときの閉成状態における第１カム係合凹部６４の第１カム係合凸部６３と係合する第１回動角度は０°よりマイナスの角度が好ましく、また、−８°に限定されるものではなく、−８°以外の角度であってもよい。なお、本発明において−８°というときには、−８°前後を含む。
【００３０】
第１カム係合凹部６４は、底部６４ａと、底部６４ａを形成するための２つの傾斜部６４ｂとからなり、その底部６４ａが、第１回動角度における−８°及び１７２°となる位置に配置されている。傾斜部６４ｂの幅は、回動角度における９０°の範囲より若干小さい角度に対応した寸法で形成されており、第１カムＢ体６２の接触面のほとんどが第１カム係合凹部６４として形成されている。すなわち、第１カム係合凹部６４の間の接触面は、ほとんど形成されていない。また、第１カムＢ体６２の残りの面（付勢面６２ｂということがある。）は、平面状に形成されていることが好ましい。この付勢面６２ｂと第１シャフト部４１内の連結部４３の壁との間であって第１シャフト２の外周には、付勢手段が設けられていることが好ましい。
【００３１】
付勢手段は、例えば、圧縮コイルスプリング６５等である。圧縮コイルスプリング６５は、例えば、第１シャフト２の外周に嵌装され、一端部が第１シャフト部４１内の連結部４３の壁に当接されていると共に、他端部が第１カムＢ体６２の付勢面６２ｂに当接して、第１カムＢ体６２を第１カムＡ体６１側に押圧するように付勢するものである。これにより、第１カムＡ体６１と第１カムＢ体６２との間に作用する摩擦力がそれぞれ大きくなって第１シャフト２を第１シャフト部４１の回動範囲の任意の位置で停止することができるようになっている。
【００３２】
すなわち、第１シャフト部４１は、次のように組み立てられている。まず、第１シャフト２にワッシャー６７を装着して、この第１シャフト２の先端部を、連結部４３の第１装着孔４３ｃから第１挿通孔４３ａに挿通して連結部４３の第１シャフト部４１より外側の壁にワッシャー６７を介して第１カム部２１を当接させる。このとき、第１シャフト部４１の先端部より第１シャフト２の先端部が突出する。この第１シャフト２の先端部から第１シャフト２の外周に、圧縮コイルスプリング６５及び第１カムＢ体６２を順次嵌装する。嵌装後、この第１シャフト２の嵌合部２３に第１カムＡ体６１を嵌合して取り付けて、第１カムＡ体６１を第１カムＢ体６２に当接して第１カムＢ体６２を圧縮コイルスプリング６５の付勢力に抗して第１シャフト部４１内に押し込み、挿入孔６１ａと第３取付孔２６とを孔合わせしてからこれら孔６１ａ、２６に例えばピン６６を挿通してピン６６の両端部をカシメることにより、第１シャフト部４１が組み立てられる。よって、第１シャフト部４１は、部品点数が少なく、組み込みが容易で、かつ、低コスト化を図れる。
【００３３】
このように組み立てた第１シャフト部４１に対して第１シャフト２を回動させた場合に、第１カム係合凸部６３が第１カム係合凹部６４から完全に脱していないとき、すなわち、第１カム係合凸部６３の先端部及びその近傍が第１カム係合凹部６４の傾斜部６４ｂに接触しているときに、第１シャフト２の回動を止めると、第１カム係合凸部６３がその傾斜部６４ｂに沿って自動的に底部６４ａ方向に移動して底部６４ａ又はその近傍に達して、その回動が停止してロック状態となる。すなわち、自動的にロック状態に保持されることになる。具体的には、０°〜略８２°が０°の閉成状態へ自動的に移動する閉領域であり、略８２°〜１７２°が開成状態へ自動的に移動する開領域である。なお、第１カム係合凹部６４の傾斜部６４ｂの角度や幅等を任意に変えることにより、自動ロック角度（自動的にロック状態になる角度をいう。）を所望の角度に設定することができる。
【００３４】
第２シャフト３は、図４、図５、図７及び図１２に示すように、第２シャフト部４２の第２挿通孔４３ｂに挿通されて第２シャフト部４２に回動可能に支持されるものである。第２シャフト３は、一端部に第２カム部３１が設けられている。第２カム部３１は、第２シャフト部４２の第２挿通孔４３ｂの径より大きな寸法の径の円柱状に形成されている。第２カム部３１の周面には、その軸方向に延びる略Ｕ字状の第２カム凹部３２が設けられている。第２シャフト３は、第２挿通孔４３ｂの径より小さな径、例えば若干小さな径に形成されている。第２シャフト３の長さは、第２カム部３１が連結部４３内に位置されると共に、他端部である先端部が第２シャフト部４２から突出する寸法で形成されている。
【００３５】
また、第２シャフト部４２から突出する第２シャフト３の周面には、その周面の一部を軸方向でかつ平行に平面状に切り欠いた嵌合部３３が設けられている。この第２シャフト部４２から突出する第２シャフト３の先端部近傍の外周には、止め輪を装着するための装着溝３４がその周方向に設けられている。また、第２シャフト部４２から突出する第２シャフト３には、第２カム機構７の第２カムＡ体７１を第２シャフト３に固定するカム取付孔３５が設けられている。
【００３６】
第２カム機構７は、所定の位置に第２シャフト３をロック状態に保持するものであり、例えば、第２シャフト３が第２シャフト部４２に対して、すなわち、第２筐体１２に対して第２シャフト３を軸に０°〜１７０°の角度の範囲で第２筐体１２が回動し得る場合、０°、１４０°及び１７０°の３つの角度で第２シャフト３をロック状態に保持するように構成されていることが好ましい。この場合の角度は、第２シャフト３を軸にした第１筐体１１の幅方向に延びる直線と第２筐体１２の幅方向に延びる直線との角度（第２回動角度ということがある。）であり、この角度が０°のときに、第１筐体１１と第２筐体１２が互いに重なり合った閉成状態となるように第１筐体１１が第２筐体１２に第２シャフト３を介して連結されていることが好ましい。なお、本発明において１４０°というときには、１４０°前後を含む。また、本発明において１７０°というときには、１７０°前後を含む。
【００３７】
第２カム機構７は、例えば、第２シャフト３の先端部近傍の外周に固定されている第２カムＡ体７１と、第２シャフト３に取り付けられ、第２カムＡ体７１と面接触する第２カムＢ体７２と、第２カムＡ体７１及び第２カムＢ体７２の接触面の少なくとも１面例えば第２カムＡ体７１の接触面に設けられた第２カム係合凸部７３と、この第２カム係合凸部７３が設けられた面と対向する第２カムＡ体７１及び第２カムＢ体７２の接触面例えば第２カムＢ体７２の接触面に設けられ、第２カム係合凸部７３と係合する第２カム係合凹部７４と、付勢手段である圧縮コイルスプリング７５とから構成されている。
【００３８】
第２カムＡ体７１は、図７及び図１５に示すように、例えば、略円筒状に形成されている。第２カムＡ体７１は、第２シャフト部４２の内径より径が大きな寸法の外径で形成されている。第２カムＡ体７１の内部（内孔ということがある。）は、第２シャフト３の嵌合部３３にその軸回りに回転することなく嵌合され得る形状で形成されている。また、第２カムＡ体７１には、その径方向に延びて貫通する挿入孔７１ａが設けられている。第２カムＡ体７１は、第２シャフト部４２から突出する第２シャフト３の嵌合部３３を内孔に嵌合して挿入孔７１ａとカム取付孔３５とを孔合わせしてからこれら孔７１ａ、３５にピン、ネジ、ボルト等の取付部材、例えばピン７７を挿通してピン７７の両端部をカシメることにより、第２カムＡ体７１が第２シャフト３の先端部近傍に回転することなく固定されている。
【００３９】
第２カムＡ体７１の先端部側には、第２筐体１２に取り付けるための筐体取付部材７６が設けられている。筐体取付部材７６は、第２シャフト３にその軸周りに回動することなく取り付けられる取付部７６ａと、この取付部７６ａに設けられ、例えば、ネジ、ボルト、ピン等によって第２筐体１２を取り付けるための取付孔７６ｂが設けられている。
【００４０】
第２カムＡ体７１の第２シャフト部４２側には、リング状のカム部７１ｂが設けられている。カム部７１ｂは、第２シャフト部４２の内径より大きな寸法の径で形成されている。このカム部７１ｂの先端面（カム面７１ｃということがある。）には、第２カム係合凸部７３が２つ設けられている。これらの第２カム係合凸部７３は、１８０°間隔で第２カムＡ体７１のカム面７１ｃに設けられている。すなわち、２つの第２カム係合凸部７３は対称に接触面に設けられている。これらの第２カム係合凸部７３の形状は、特に限定されないが、先端部がＲ形状の略三角形状に突出して形成されている。第２カム係合凸部７３間のカム面（第２カム係合凸部７３以外のカム面）７１ｃは、平面状に形成されていることが好ましい。
【００４１】
第２カムＢ体７２は、図７及び図１６に示すように、第２シャフト部４２内に位置されるカム体であり、略リング状に形成されている。第２カムＢ体７２の外形は、例えば、第２シャフト部４２の内形より若干小さな略同じ形状、すなわち、円形の２箇所を第２嵌合凹部４７に嵌合するように突出させた第２嵌合凸部７２ａを有する形状で形成されている。第２カムＢ体７２の内形（内孔ということがある。）は、第２シャフト３の外径より若干小さな寸法の径の円形状で形成されている。第２カムＢ体７２は、その内孔に第２シャフト３が挿通されて第２シャフト３に取り付けられると共に、組立時、第２シャフト部４２内に第２嵌合凹部４７と第２嵌合凸部７２ａが係合した状態で収容されており、第２シャフト３の軸方向には移動可能であるが、その軸周りには回転できないようになっている。
【００４２】
第２カムＢ体７２の第２カムＡ体７１側の面（接触面７２ｃということがある。）には、第２カム係合凸部７３とそれぞれ係合する第２カム係合凹部７４が４つ設けられている。４つの第２カム係合凹部７４のうちの２つは、１８０°間隔で、対称に接触面７２ｃに設けられており、例えば、第２回動角度が−１０°及び１７０°で２つの第２カム係合凸部７３と係合するように配置されていることが好ましい。このときの閉成状態における第２カム係合凹部７４の第１カム係合凸部７３と係合する第１回動角度は０°よりマイナスの角度が好ましく、また、−１０°に限定されるものではなく、−１０°以外の角度であってもよい。なお、本発明において−１０°というときには、−１０°前後を含む。また、残りの２つの第２カム係合凹部７４は、１８０°間隔で、対称に接触面７２ｃに設けられており、例えば、１４０°で２つの第２カム係合凸部７３と係合するように配置されていることが好ましい。
【００４３】
第２カム係合凹部７４は、底部７４ａと、底部７４ａを形成するための２つの傾斜部７４ｂとからなり、その底部７４ａが、第２回動角度における−１０°、１４０°、１７０°及び３２０°となる位置に配置されている。傾斜部６４ｂの幅は、回動角度における約１５°の範囲より若干小さい角度に対応した寸法で形成されていることが好ましい。また、４つの第２カム係合凹部７４以外の接触面７２ｃは、平面状に形成されていることが好ましい。また、第２カムＢ体７２の残りの面（付勢面７２ｂということがある。）は、平面状に形成されていることが好ましい。この付勢面７２ｂと第２シャフト部４２内の連結部４３の壁との間であって第２シャフト３の外周には、付勢手段が設けられていることが好ましい。
【００４４】
付勢手段は、例えば、圧縮コイルスプリング７５等である。圧縮コイルスプリング７５は、例えば、第２シャフト３の外周に嵌装され、一端部が第２シャフト部４２内の連結部４３の壁に当接されていると共に、他端部が第２カムＢ体７２の付勢面７２ｂに当接して、第２カムＢ体７２を第２カムＡ体７１側に押圧するように付勢するものである。これにより、第２カムＡ体７１と第２カムＢ体７２との間に作用する摩擦力がそれぞれ大きくなって第２シャフト３を第２シャフト部４２の回動範囲の任意の位置で停止することができるようになっている。
【００４５】
すなわち、第２シャフト部４２は、次のように組み立てられている。まず、第２シャフト３にワッシャー７８を装着して、この第２シャフト３の先端部を、連結部４３の第２装着孔４３ｄから第２挿通孔４３ｂに挿通して連結部４３の第２シャフト部４２より外側の壁にワッシャー７８を介して第２カム部３１を当接させる。このとき、第２シャフト部４２の先端部より第２シャフト３の先端部が突出する。この第２シャフト３の先端部から第２シャフト３の外周に、圧縮コイルスプリング７５及び第２カムＢ体７２を順次嵌装する。嵌装後、この第２シャフト３の嵌合部３３に第２カムＡ体７１を嵌合して取り付けて、第２カムＡ体７１を第２カムＢ体７２に当接して第２カムＢ体７２を圧縮コイルスプリング７５の付勢力に抗して第２シャフト部４２内に押し込み、挿入孔７１ａとカム取付孔３５とを孔合わせしてからこれら孔７１ａ、３５に例えばピン７７を挿通してピン７７の両端部をカシメる。そして、この第２シャフト３の先端部に筐体取付部材７６を嵌合して取り付け、第２シャフト３の装着溝３４に例えばＥ型止め輪７９を装着して筐体取付部材７６を第２シャフト３に固定することにより、第２シャフト部４２が組み立てられる。よって、第２シャフト部４２は、部品点数が少なく、組み込みが容易で、かつ、低コスト化を図れる。
【００４６】
このように組み立てた第２シャフト部４２に対して第２シャフト３を回動させた場合に、第２カムＡ体７１の第２カム係合凸部７３が第２カムＢ体７２の第２カム係合凹部７４から脱して、第２カムＡ体７１の第２カム係合凸部７３の先端面が第２カムＢ体７２の第２カム係合凹部７４以外の平面の接触面７２ｃに接触しつつ摺動する。この接触状態のときに、第２シャフト３の回動を止めると、第２カム係合凸部７３の先端面と平面状の接触面７２ｃとの接触による摩擦力によって第２シャフト３がその位置で停止するようになっている。この状態がフリーストップ状態であり、このときの第２回動角度がフリーストップ角度である。
【００４７】
また、第２シャフト部４２に対して第２シャフト３を回動させた場合に、第２カム係合凸部７３が第２カム係合凹部７４から完全に脱していないとき、すなわち、第２カム係合凸部７３の先端部及びその近傍が第２カム係合凹部７４の傾斜部７４ｂに接触しているときに、第２シャフト３の回動を止めると、第２カム係合凸部７３がその傾斜部７４ｂに沿って自動的に底部７４ａ方向に移動して底部７４ａ又はその近傍に達して、その回動が停止してロック状態となる。すなわち、自動的にロック状態に保持されることになる。なお、第２カム係合凹部７４の傾斜面の角度や幅等を任意に変えることにより、自動ロック角度（自動的にロック状態になる角度をいう。）を所望の角度に設定することができる。
【００４８】
ロック機構５は、図４及び図７に示すように、第１筐体１１及び第２筐体１２が、閉成状態のとき、２方向のいずれか一方の方向に開閉可能であり、第１筐体１１と第２筐体１２とが２方向のいずれか一方の方向に開閉して閉成状態以外の状態のとき、２方向のいずれか他方の方向への開閉をロックするものである。ロック機構５は、どのように構成してもよく、例えば、連結部４３内に設けられたロック部材５１を備えている。ロック部材５１は、例えば断面円形状の棒状のロックシャフト５２と、ロックシャフト５２を付勢する付勢手段とからなる。
【００４９】
ロックシャフト５２は、図４、図７、図８及び図１７に示すように、連結部４３内の仕切壁４４の貫通部４５の内径より若干小さな寸法の径で形成されている。ロックシャフト５２の長さは、第１シャフト２の第１カム凹部２２及び第２シャフト３の第２カム凹部３２をそれぞれロックシャフト５２側に対向するように向けて、ロックシャフト５２の一端部が第１カム凹部２２に入り込んで係合したときには、ロックシャフト５２の他端部が第２カム凹部３２から離間して第２カム凹部３２と係合しないと共に、ロックシャフト５２の他端部が第２カム凹部３２に入り込んで係合したときには、ロックシャフト５２の一端部が第１カム凹部２２から離間して第１カム凹部２２と係合しない寸法で形成されていることが好ましい。すなわち、ロックシャフト５２の長さは、いずれか一方のカム凹部２２、３２に端部が係合する寸法で形成されていることが好ましい。なお、第１カム凹部２２及び第２カム凹部３２がそれぞれロックシャフト５２側に向いているときに、第１筐体１１と第２筐体１２とが閉塞状態になるように第１シャフト２及び第２シャフト３が第１筐体１１及び第２筐体１２にそれぞれ取り付けられている。
【００５０】
また、連結部４３内の第２シャフト３側に位置されているロックシャフト５２の軸方向の途中には、付勢部５３が設けられている。付勢部５３は、例えば、ロックシャフト５２の外周にその径方向に延びるリング状に形成されている。付勢部５３の径は、貫通部４５の径より大きな寸法であって、連結部４３内の最短距離より短い寸法で形成されていることが好ましい。この付勢部５３と仕切壁４４との間であってロックシャフト５２の外周には、付勢手段が設けられている。
【００５１】
付勢手段は、例えば、圧縮コイルスプリング５４等である。圧縮コイルスプリング５４は、例えば、ロックシャフト５２の外周に嵌装され、一端部が付勢部５３に当接されていると共に、他端部が仕切壁４４に当接して、ロックシャフト５２の端部が第２カム凹部３２に係合するように付勢するものである。なお、ロックシャフト５２を第２カム凹部３２に係合するように付勢したが、ロックシャフト５２を第１カム凹部２２に係合するように付勢してもよい。また、ロックシャフトを圧縮コイルスプリングを用いてどちらか一方のカム凹部に係合するように付勢したが、圧縮コイルスプリングを用いずにロックシャフトをどちらか一方のカム凹部に係合するようにしてもよい。また、ロックシャフトを用いて第１シャフトと第２シャフトの開閉を規制したが、ロックシャフトを用いずに第１シャフトと第２シャフトの開閉を規制するようにしてもよい。例えば、図９に示すように、第１シャフト２の第１カム部９１と第２シャフト３の第２カム部９３とを近接させ、第１カム部９１に第１カム係合部９２を設けると共に第２カム部９３に第２カム係合部９４を設け、閉成状態では、第１カム係合部９２と第２カム係合部９４とを互いに対向させて、第１シャフト及び第２シャフトのどちから一方の開閉を可能にする（図９（ａ）参照。）と共に、第１シャフト又は第２シャフトが開閉して閉成状態以外の状態では、開閉しなかった第２シャフトの第２カム係合部９４又は第１シャフトの第１カム係合部９２が第１カム部９１又は第２カム部９３に係合して第２シャフト又は第１シャフトの開閉をロックするように構成してもよい（図９（ｂ）及び（ｃ）参照。）。
【００５２】
ロック機構５は、次のように組み立てられている。まず、ロックシャフト５２の外周に、圧縮コイルスプリング５４を嵌装する。これを連結部４３の第２シャフト部４２側の端部の開口部から連結部４３内に挿入して収容する。付勢部５３を圧縮コイルスプリング５４の付勢力に抗して仕切壁４４方向に移動させて連結部４３内に押し込み、第２シャフト３の第２シャフト部４２への装着を可能にする。そして、第２シャフト３の装着が終わったら、付勢部５３の連結部４３内への押し込みを解除する。すると、ロックシャフト５２の他端部が第２シャフト３の第２カム部３１に当接するように移動する。このとき、第２カム凹部３２がロックシャフト５２側に向いてないときには、第２シャフト３を回動させて第２カム凹部３２がロックシャフト５２側に向くようにする。これにより、ロックシャフト５２の他端部が第２カム凹部３２に入り込んで係合することにより、ロック機構５が組み立てられる。よって、本発明に係るヒンジ装置１が組み立てられることになり、部品点数が少なく、組み込みが容易で、かつ、低コスト化を図れる。
【００５３】
次に本発明に係る携帯機器のヒンジ装置１及び携帯電話機１０の作用を説明する。
【００５４】
携帯電話機１０が使用されていない閉成状態では、通常、図１に示すように、第１筐体１１と第２筐体１２が互いに重なり合った２つ折りの状態である。このとき、第１回動角度は、０°で、第１カム係合凸部６３と第１カム係合凹部６４とが係合してロック状態に保持されている。このとき、第１カム係合凸部６３と第１カム係合凹部６４とが係合して第１筐体２と第２筐体３が互いに重なり合った２つ折りの閉成状態に保持されているが、その係合が第１カム係合凸部６３と第１カム係合凹部６４とが完全（略完全を含む。）に嵌合されていないで第１カム係合凸部６３の一部が第１カム係合凹部６４に入り込んだ状態であるので、第１筐体２と第２筐体３がガタツクことなく閉成状態に保持されている。
【００５５】
すなわち、第１カム係合凹部６４は、第１回動角度が０°ではなく−８°のときに第１カム係合凸部６３と係合するように配置されているために、第１カム係合凸部６３の先端部が第１カム係合凹部６４の傾斜部６４ｂに接して不完全に第１カム係合凹部６４に入り込んで、完全（略完全を含む。）に嵌合されていない状態で係合されている。すなわち、第１カム係合凸部６３は、第１カム係合凹部６４の底部６４ａ方向に移動しようとする状態で、第１筐体２と第２筐体３が互いに重なり合った２つ折りの閉成状態になっている。その結果、第１回動角度が０°のとき、完全（略完全を含む。）に嵌合されるように第２筐体３は第１筐体２に対して付勢されるように密着するので、第１筐体２と第２筐体３がガタツクことなく閉成状態に保持されることになる。
【００５６】
また、閉成状態のとき、第２回動角度は、０°で、第２カム係合凸部７３と第２カム係合凹部７４とが係合してロック状態に保持されている。このとき、第２カム係合凸部７３と第２カム係合凹部７４とが係合して第１筐体２と第２筐体３が互いに重なり合った２つ折りの閉成状態に保持されているが、その係合が第２カム係合凸部７３と第２カム係合凹部７４とが完全（略完全を含む。）に嵌合されていないで第２カム係合凸部７３の一部が第２カム係合凹部７４に入り込んだ状態であるので、第１筐体２と第２筐体３がガタツクことなく閉成状態に保持されている。
【００５７】
すなわち、第２カム係合凹部７４は、第２回動角度が０°ではなく−１０°のときに第２カム係合凸部７３と係合するように配置されて、第２カム係合凸部７３の先端部が第２カム係合凹部７４の傾斜面に接して、不完全に第２カム係合凹部７４に入り込んで、完全（略完全を含む。）に嵌合されていない状態で係合されている。すなわち、第２カム係合凸部７３は、第２カム係合凹部７４の底部７４ａ方向に移動しようとする状態で、第１筐体２と第２筐体３が互いに重なり合った２つ折りの閉成状態になっている。その結果、第２回動角度が０°のとき、完全（略完全を含む。）に嵌合されるように第２筐体３は第１筐体２に対して付勢されるように密着するので、第１筐体２と第２筐体３がガタツクことなく閉成状態に保持されることになる。
【００５８】
また、閉成状態のとき、図７及び図８（ａ）に示すように、ロックシャフト５２の他端部が第２カム凹部３２に入り込んで係合しているので、第１シャフト２を軸として第１筐体１１と第２筐体１２とを開閉することが可能である。また、ロックシャフト５２の一端部と第１カム凹部２２とが対向しているために、ロックシャフト５２の他端部が第２カム凹部３２から離脱可能であるので、第２シャフト３を軸として第１筐体１１と第２筐体１２とを開閉することが可能である。よって、第１筐体１１及び第２筐体１２は、２方向のいずれか一方の方向に開閉可能である。
【００５９】
この携帯電話機１０で通話を行うには、例えば、第１筐体１１を左手で持つと共に第２筐体１２を右手で持って、図２及び図４に示すように、この第２筐体１２を第１シャフト２周りに第１筐体１１から離れる方向に回動する（開く）。すなわち、第１シャフト部４１に対して第１シャフト２を回動する。これにより、第１カム係合凸部６３が第１カム係合凹部６４から脱して（係合が解除されて）、第１回動角度が略８２°を越えて、１７２°になると、第１カム係合凸部６３が第１カム係合凹部６４に入り込んで係合してロック状態に保持される。すなわち、第２筐体１２が通話可能な開かれた状態になる。これにより、通話を行うことができる。
【００６０】
第１シャフト２が回動すると、第１シャフト２の第１カム部２１も回動し、ロックシャフト５２の一端部と対向していた第１カム凹部２２の位置がずれる。すなわち、ロックシャフト５２の一端部は、図８（ｂ）に示すように、第１カム部２１の周面に近接することになる。このため、ロックシャフト５２の他端部が第２カム凹部３２から離脱することがなく、ロックシャフト５２の他端部と第２カム凹部３２とが係合しているので、第２シャフト３を軸に第１筐体１１及び第２筐体１２が開閉することがない。このように第１筐体１１及び第２筐体１２が他の方向に開閉することがないので、第１筐体１１及び第２筐体１２の開閉をスムーズに行える。その結果、開閉操作を容易に行えることになる。
【００６１】
通話後、第２筐体１２を元の位置に戻すには、例えば、第１筐体１１を左手で持つと共に第２筐体１２を右手で持って、この第２筐体１２を第１シャフト２周りに逆方向である閉方向（第２筐体１２と第１筐体１１とが近づく方向）に回動する。これにより、第１カム係合凸部６３と第１カム係合凹部６４との係合が解除されて、第１シャフト２が０°で第１カム係合凸部６３が第１カム係合凹部６４に入り込んで係合してロック状態に保持され、閉成状態となり元の状態に戻る。
【００６２】
また、インターネット等の通信回線を利用する場合には、第２筐体１２を第１シャフト２周りに第１筐体１１から開方向に例えば第１回動角度を１７２°まで回動させる。これにより、インターネット等の通信回線を利用することができる。また、ディスプレイ部の画面をキーボード部に対して横にして使用したい場合には、閉成状態のとき、第２回動角度が０°であり、図３及び図５に示すように、第２筐体１２を第２シャフト３周りに第１筐体１１から離れる方向に回動する（開く）。すなわち、第２シャフト部４２に対して第２シャフト３を回動する。これにより、第２カム係合凸部７３が第２カム係合凹部７４から脱して（係合が解除されて）、第２回動角度が１４０°又は１４０°を越えて１７０°になると、第２カム係合凸部７３が第２カム係合凹部７４に入り込んで係合してロック状態に保持される。また、第２カム係合凸部７３の先端面が第２カム係合凹部７４から脱して、第２カムＢ体７２の第２カム係合凹部７４以外の平面上の接触面７２ｃに接触しつつ摺動しているときに、第２筐体１２の回動を止めると、第２カム係合凸部７３の先端面の接触による摩擦力によって第２筐体１２はその位置に停止する。すなわち、第２回動角度がフリーストップ角度であれば、その角度に第２筐体１２を停止することができる。よって、インターネット等の通信回線を利用する場合には、第１筐体１１に対する第２筐体１２を多くの位置に停止することができ、良好にインターネット等の通信回線を利用することが可能となる。
【００６３】
第２シャフト３が回動すると、第２シャフト３の第２カム部３１も回動し、ロックシャフト５２の他端部の第２カム凹部３２との係合状態が解除される。すなわち、ロックシャフト５２の他端部が第２カム凹部３２から離脱すると共に、ロックシャフト５２の一端部が第１カム凹部２２に入り込んで係合してロック状態に保持される。ロックシャフト５２の他端部は、図８（ｃ）に示すように、第２カム凹部３２の位置がずれるために、第２カム部３１の周面に接触または近接することになるので、ロックシャフト５２の一端部と第１カム凹部２２との係合状態が解除されることがない。このため、第１シャフト２を軸に第１筐体１１及び第２筐体１２が開閉することがないので、第１筐体１１及び第２筐体１２の開閉をスムーズに行える。その結果、開閉操作を容易に行えることになる。
【００６４】
したがって、本発明に係る携帯機器のヒンジ装置１及び携帯電話機１０は、閉成状態の第１筐体１１及び第２筐体１２を、２方向のどちらか一方の方向に互いに開閉させると、他方の方向への開閉がロックされて他の方向に開閉することがないので、開閉操作を容易に行える。また、部品点数が少なく、組み込みが容易で、低コスト化を図れ、かつ、良好に通話を行えると共に、インターネット等の通信回線を最適な状態で利用することができる。
【産業上の利用可能性】
【００６５】
以上説明したように本発明に係る携帯機器のヒンジ装置は、閉成状態の第１筐体及び第２筐体を、２方向のいずれか一方の方向に互いに開閉させると、他方の方向への開閉がロックされて他の方向に開閉することがないので、開閉操作を容易に行えるので、携帯端末の中でもとくに携帯電話機のヒンジ装置として好適に用いられるものである。
【図面の簡単な説明】
【００６６】
【図１】本発明に係る携帯機器のヒンジ装置を備えた携帯電話機の一例における閉成状態を示す斜視図である。
【図２】本発明に係る携帯機器のヒンジ装置を備えた携帯電話機の一例における開成状態を示す斜視図である。
【図３】本発明に係る携帯機器のヒンジ装置を備えた携帯電話機の一例における開成状態を示す斜視図である。
【図４】図２における本発明に係るロック機構を示す側面図である。
【図５】図３における本発明に係るロック機構を示す斜視図である。
【図６】本発明に係る携帯機器のヒンジ装置の一例を示す斜視図である。
【図７】本発明に係る携帯機器のヒンジ装置の一例を示す図で、（ａ）は斜視図、（ｂ）は正面図、（ｃ）は平面図、（ｄ）は背面図、（ｅ）は基部がない状態の背面図、（ｆ）は側面図、（ｇ）は基部がない状態の側面図である。
【図８】本発明に係るロック機構の一例を説明するための構成図である。
【図９】本発明に係るロック機構の他の例を説明するための構成図である。
【図１０】本発明に係る基部の一例を示す図で、（ａ）及び（ｂ）は斜視図、（ｃ）は平面図、（ｄ）は（ｃ）中のＡ−Ａ線矢視断面図、（ｅ）は（ｃ）中のＢ−Ｂ線矢視断面図である。
【図１１】本発明に係る第１シャフトの一例を示す斜視図である。
【図１２】本発明に係る第２シャフトの一例を示す図で、（ａ）は斜視図、（ｂ）は正面図である。
【図１３】本発明に係る第１カムＡ体の一例を示す図で、（ａ）は斜視図、（ｂ）は正面図、（ｃ）は平面図、（ｄ）は側面図である。
【図１４】本発明に係る第１カムＢ体の一例を示す図で、（ａ）は斜視図、（ｂ）は正面図、（ｃ）は側面図、（ｄ）は底面図である。
【図１５】本発明に係る第２カムＡ体７１の一例を示す図で、（ａ）は斜視図、（ｂ）は側面図、（ｃ）は正面図、（ｄ）は平面図である。
【図１６】本発明に係る第２カムＢ体の一例を示す図で、（ａ）は斜視図、（ｂ）は正面図、（ｃ）は底面図である。
【図１７】本発明に係るロックシャフトの一例を示す斜視図である。
【符号の説明】
【００６７】
１  ヒンジ装置
２  第１シャフト
３  第２シャフト
４  基部
５  ロック機構
６  第１カム機構
７  第２カム機構
１０  携帯電話機
１１  第１筐体
１２  第２筐体
２２  第１カム凹部
３２  第２カム凹部
４１  第１シャフト部
４２  第２シャフト部
４３  連結部
５１  ロック部材
５２  ロックシャフト
５３  付勢部
５４  圧縮コイルスプリング
【図１】
2006233998.tif 000003
【図２】
2006233998.tif 000004
【図３】
2006233998.tif 000005
【図４】
2006233998.tif 000006
【図５】
2006233998.tif 000007
【図６】
2006233998.tif 000008
【図７】
2006233998.tif 000009
【図８】
2006233998.tif 000010
【図９】
2006233998.tif 000011
【図１０】
2006233998.tif 000012
【図１１】
2006233998.tif 000013
【図１２】
2006233998.tif 000014
【図１３】
2006233998.tif 000015
【図１４】
2006233998.tif 000016
【図１５】
2006233998.tif 000017
【図１６】
2006233998.tif 000018
【図１７】
2006233998.tif 000019